(57)【要約】【課題】多くの光ファイバ心線を高密度に収納することができる光ケーブル接続用クロージャを提供する。【解決手段】光ケーブル接続用クロージャ１はクロージャ本体４を有し、このクロージャ本体４内には、多心光ケーブル７及び単心光ケーブル９が導入される。クロージャ本体４内には、光ケーブル７，９を固定するための光ケーブル固定具１４，１５とが着脱自在に設けられている。また、クロージャ本体４内には、引き通し光ファイバ心線を収納するための引き通しファイバ収納部２３と、光ファイバ心線の融着接続部を収納するためのファイバ融着接続部収納部２４と、光ファイバ心線の余長を収納するためのファイバ余長収納部２５とが設けられている。【選択図】　図１
2004102073.tif 000002
【特許請求の範囲】
【請求項１】
光ケーブルから延び出た光ファイバ心線の接続部を保護するための光ケーブル接続用クロージャにおいて、
前記光ケーブルが導入される光ケーブル導入部を有するクロージャ本体と、
前記クロージャ本体内に設けられ、前記接続部を収納するためのファイバ接続部収納部と、
前記クロージャ本体内に設けられ、前記光ファイバ心線の余長を収納するためのファイバ余長収納部とを備え、
前記ファイバ接続部収納部と前記ファイバ余長収納部は、前記クロージャ本体内における異なる領域に配置されていることを特徴とする光ケーブル接続用クロージャ。
【請求項２】
前記クロージャ本体内に設けられ、前記光ケーブルの引き通し光ファイバ心線を収納するための引き通しファイバ収納部を更に備えることを特徴とする請求項１記載の光ケーブル接続用クロージャ。
【請求項３】
前記クロージャ本体に着脱可能に取り付けられ、前記光ケーブル導入部より前記クロージャ本体内に導入された前記光ケーブルを前記クロージャ本体に固定するための光ケーブル固定具を更に備えることを特徴とする請求項１または２記載の光ケーブル接続用クロージャ。
【請求項４】
前記光ケーブル導入部は、前記光ケーブルを挿通させる複数の穴部を有し、
前記光ケーブル固定具は、前記各穴部に挿通された前記光ケーブルを載置させる段状の台座と、前記台座の各段上に載置された前記各光ケーブルを前記台座に対して押し付ける押付板とを有することを特徴とする請求項３記載の光ケーブル接続用クロージャ。
【請求項５】
前記ファイバ接続部収納部は、前記クロージャ本体に取り付けられた複数の収納仕切りと、前記各収納仕切り間に出し入れ自在に配置され、前記接続部を収納する収納部材とを有することを特徴とする請求項１〜４のいずれか一項記載の光ケーブル接続用クロージャ。
【請求項６】
前記クロージャ本体の外面は、マンホールの壁面に対応した曲面形状を有していることを特徴とする請求項１〜５のいずれか一項記載の光ケーブル接続用クロージャ。
【請求項７】
前記クロージャ本体の左右両側には、前記クロージャ本体を前記マンホールの壁面に取り付けるための取付金具が設けられており、
前記取付金具は、前記マンホールの壁面に対応した形状を有していることを特徴とする請求項６記載の光ケーブル接続用クロージャ。
【発明の詳細な説明】
【０００１】
【発明の属する技術分野】
本発明は、光ケーブルから延び出た光ファイバ心線の接続部を保護するための光ケーブル接続用クロージャに関するものである。
【０００２】
【従来の技術】
従来の光ケーブル接続用クロージャとしては、光ファイバケーブルから延び出た光ファイバ心線同士を融着接続し、その融着接続部を補強スリーブで補強した後、光ファイバ心線の余長部分を心線収納具に収納したものが知られている（例えば、特許文献１参照）。
【０００３】
【特許文献１】
特開平９−５５９３号公報（第２−３頁、図１）
【０００４】
【発明が解決しようとする課題】
近年の光ファイバケーブルは、ＦＴＴＨ（Ｆｉｂｅｒ　Ｔｏ　Ｔｈｅ　Ｈｏｍｅ）構想により多心化および多条化傾向にあり、それに伴ってクロージャ内に多数本の光ファイバ心線を導入する需要が増えている。また、クロージャ自体の小型化も望まれている。しかし、上記従来技術においては、光ファイバ心線の融着接続部および光ファイバ心線の余長部分を共に心線収納具に収納する構造であるため、心線収納具の寸法が大きくならざるを得ず、１つのクロージャ内に収容可能な心線収納具の数が限られる。従って、小型のクロージャ内に数多くの光ファイバ心線を収納することは困難であった。
【０００５】
本発明の目的は、多くの光ファイバ心線を高密度に収納することができる光ケーブル接続用クロージャを提供することである。
【０００６】
【課題を解決するための手段】
本発明は、光ケーブルから延び出た光ファイバ心線の接続部を保護するための光ケーブル接続用クロージャにおいて、光ケーブル導入部を有するクロージャ本体と、クロージャ本体内に設けられ、接続部を収納するためのファイバ接続部収納部と、クロージャ本体内に設けられ、光ファイバ心線の余長を収納するためのファイバ余長収納部とを備え、ファイバ接続部収納部とファイバ余長収納部は、クロージャ本体内における異なる領域に配置されていることを特徴とするものである。
【０００７】
このような本発明においては、例えば、クロージャ本体内に導入された光ケーブルから延び出た光ファイバ心線同士を融着接続した後、その融着接続部をファイバ接続部収納部に収納し、光ファイバ心線の余長をファイバ余長収納部に収納する。このように複数の光ファイバ心線の融着接続部及び複数の光ファイバ心線の余長をクロージャ本体内における異なる領域にそれぞれ一括収納することにより、光ファイバ心線の融着接続部及び余長を一緒にトレイに収納する場合に比べて、収納スペースを狭くすることが可能となる。これにより、融着接続した多くの光ファイバ心線をクロージャ本体内に高密度に収納することができる。
【０００８】
好ましくは、クロージャ本体内に設けられ、光ケーブルの引き通し光ファイバ心線を収納するための引き通しファイバ収納部を更に備える。引き通し光ファイバ心線とは、切断されることなくクロージャ本体内をそのまま引き通される接続部の無い光ファイバ心線をいう。このような引き通し光ファイバ心線を収納するための引き通しファイバ収納部を設けることにより、一方の光ケーブルから延び出た光ファイバ心線と他方の光ケーブルから延び出た光ファイバ心線とを融着接続する接続形態だけでなく、後に引き通し光ファイバ心線から分岐する光ファイバ心線と他の光ファイバ心線とを融着接続する等といった様々な接続形態を実現できる。
【０００９】
また、好ましくは、クロージャ本体に着脱可能に取り付けられ、光ケーブル導入部よりクロージャ本体内に導入された光ケーブルをクロージャ本体に固定するための光ケーブル固定具を更に備える。このような光ケーブル固定具を設けることにより、光ケーブルがずれ動いてクロージャ内部の光ファイバ心線を損傷させることを防止できる。また、光ケーブル固定具をクロージャ本体に対して着脱可能とすることにより、光ケーブル固定具を複数種類用意しておき、クロージャ本体内に導入する光ケーブルの種類に応じて、使用する光ケーブル固定具を変更して対応することが可能となる。
【００１０】
このとき、好ましくは、光ケーブル導入部は、光ケーブルを挿通させる複数の穴部を有し、光ケーブル固定具は、各穴部に挿通された光ケーブルを載置させる段状の台座と、台座の各段上に載置された各光ケーブルを台座に対して押し付ける押付板とを有する。この場合、台座の各段に対する光ケーブルの載置位置が光ケーブル導入部の各穴部の配列に合うように段状の台座を構成することで、クロージャ本体内に導入された光ケーブルをほぼ真っ直ぐに延ばした状態で光ケーブル固定具により固定することが可能となる。これにより、光ケーブルの曲げによる光ファイバ心線の損傷を防ぐことができる。
【００１１】
さらに、好ましくは、ファイバ接続部収納部は、クロージャ本体に取り付けられた複数の収納仕切りと、各収納仕切り間に出し入れ自在に配置され、接続部を収納する収納部材とを有する。これにより、多くの光ファイバ心線の接続部をスペース効率良く収納することができる。
【００１２】
また、好ましくは、クロージャ本体の外面は、マンホールの壁面に対応した曲面形状を有している。これにより、クロージャをマンホールの壁面に取り付けたときに、クロージャがマンホールの壁面より必要以上に出っ張ることが無い。従って、マンホール内での下水道作業等に支障をきたすことを防止できる。
【００１３】
この場合、クロージャ本体の左右両側には、クロージャ本体をマンホールの壁面に取り付けるための取付金具が設けられており、取付金具は、マンホールの壁面に対応した形状を有している。これにより、クロージャをマンホールの壁面に取り付けるための補助的な部材が不要となるため、コスト等の面で有利となる。
【００１４】
【発明の実施の形態】
以下、本発明に係る光ケーブル接続用クロージャの好適な実施形態について図面を参照して説明する。
【００１５】
図１は、本発明に係る光ケーブル接続用クロージャの一実施形態の内部構造を示す図であり、図２は、その光ケーブル接続用クロージャの底面図であり、図３は、図１のＩＩＩ−ＩＩＩ線断面図であり、図４は、図１のＩＶ−ＩＶ線断面図である。
【００１６】
図１〜図４において、本実施形態の光ケーブル接続用クロージャ（以下、単にクロージャという）１は、光ケーブルから延び出た光ファイバ心線同士を融着接続して補強した融着接続部を保護するものであり、マンホールの壁面に取り付けられる。
【００１７】
クロージャ１は、１対のスリーブ２，３からなるクロージャ本体４を有し、スリーブ２，３同士は、フランジ部に設けられた当て板Ｐを介して複数のボルト５で締め付け固定されている。スリーブ２，３の外面は、マンホールＭの壁面に対応した曲面形状を有している（図１６参照）。また、スリーブ２の左右両側には、クロージャ本体４をマンホールＭの壁面に取り付けるための複数の取付金具６が当て板Ｐにボルト５ａを介して設けられている。この取付金具６は、マンホールＭの壁面に対応した形状を有している（図１６参照）。
【００１８】
クロージャ本体４の下端部には、多心光ケーブル７をクロージャ本体４内に導入するためのケーブルアダプタ８と、単心ステンレス管光ケーブル９をクロージャ本体４内に導入するためのケーブルアダプタ１０とが設けられている。ケーブルアダプタ８は、多心光ケーブル７を挿通させる穴部１１を有している。また、ケーブルアダプタ１０は、単心光ケーブル９を挿通させる複数（ここでは４つ）の穴部１２を有している。
【００１９】
クロージャ本体４及びケーブルアダプタ８，１０は、防水性を有する構造となっている。これにより、クロージャ１をマンホールの壁面に設置した状態において、マンホール内に浸水があっても、クロージャ１の内部に水が入り込むことは無い。
【００２０】
スリーブ２には、ベース板１３がネジで固定されている。ベース板１３の一端側には、ケーブルアダプタ８よりクロージャ本体４内に導入された多心光ケーブル７を固定するための光ケーブル固定具１４と、ケーブルアダプタ１０よりクロージャ本体４内に導入された単心光ケーブル９を固定するための光ケーブル固定具１５とがそれぞれ着脱自在に設けられている。
【００２１】
光ケーブル固定具１４は、ベース板１３に取り付けられた固定具本体１６を有している。この固定具本体１６の一端部には、光ケーブル７を締め付けて把持する１対の把持部材１７が設けられ、固定具本体１６の他端部には、光ケーブル７から延び出たテンションメンバ（図示せず）を締め付けて固定する固定部１８が設けられている。
【００２２】
光ケーブル固定具１５は、ベース板１３に基台１９を介して取り付けられた段状の台座２０を有し、この台座２０の上段部２０ａ及び下段部２０ｂの各上面には、光ケーブル９を位置決めするためのケーブル溝２１がそれぞれ２本ずつ設けられている。台座２０の上段部２０ａ及び下段部２０ｂの上部には、ケーブル溝２１に配置された各光ケーブル９を上段部２０ａ及び下段部２０ｂに対して押し付けて固定する押付板２２ａ，２２ｂがそれぞれ設けられている。
【００２３】
ここで、４本のケーブル溝２１の配列位置は、ケーブルアダプタ１０の各穴部１２の配列位置に対応している。これにより、ケーブルアダプタ１０の各穴部１２に挿通された光ケーブル９は、まっすぐに延びた状態で光ケーブル固定具１５により固定されることになるため、光ケーブル９の曲げによる損傷を回避することとができる。
【００２４】
また、ベース板１３上には、融着接続を行っていない引き通し光ファイバ心線を収納するための引き通しファイバ収納部２３と、融着接続を行った光ファイバ心線の融着接続部を収納するためのファイバ融着接続部収納部２４と、光ケーブル７，９の光ファイバ心線口出し際から融着接続部までの光ファイバ心線の余長を収納するためのファイバ余長収納部２５とが設けられている。
【００２５】
引き通しファイバ収納部２３は、ベース板１３における光ケーブル固定具１４，１５の反対側に設けられている。引き通しファイバ収納部２３は、両側に突起２６ａを有する本体部２６と、この本体部２６に回動自在に設けられた蓋部２７とからなっている。そして、引き通し光ファイバ心線は、本体部２６の両側から本体部２６内に導入され、最小曲げ半径（例えば３０ｍｍ）以上を確保するように輪状に巻いた状態で収納される。このとき、本体部２６の両側には突起２６ａが設けられているので、本体部２６内に収納された引き通し光ファイバ心線が本体部２６の外側にはみ出ることは無い。
【００２６】
ファイバ融着接続部収納部２４は、引き通しファイバ収納部２３の上部に配置されている。ファイバ融着接続部収納部２４は、図５に示すように、引き通しファイバ収納部２３の蓋部２７に固定された複数の収納仕切り２８を有している。これらの収納仕切り２８は、クロージャ本体４の高さ方向（光ケーブル７，９の導入方向）に配置されている。各収納仕切り２８間には、複数（ここでは５つ）の光ファイバ心線の融着接続部を平行に整列させた状態で収納する収納部材２９が出し入れ自在に収容されている。
【００２７】
収納部材２９には、図６及び図７に示すように、収納した各光ファイバ心線Ｆの融着接続部３０が収納部材２９から抜け出ないように、融着接続部３０の両端部を覆う２つの蓋部３１が回動自在に設けられている。また、収納部材２９の一側面には取っ手３２が設けられており、収納部材２９を収納仕切り２８間に対して出し入れし易くしている。
【００２８】
このようなファイバ融着接続部収納部２４に光ファイバ心線Ｆの融着接続部３０を収納するときは、まず収納部材２９に複数の融着接続部３０を収め、その状態で蓋部３１を回動させて各融着接続部３０を固定する（図６参照）。次いで、その収納部材２９を収納仕切り２８間に挿入する（図５参照）。このとき、収納部材２９に収納された各融着接続部３０は、クロージャ本体４の厚さ方向に配置されることになる。そして、必要数の収納部材２９を各収納仕切り２８間に挿入した後、蓋部３３により複数の収納部材２９をまとめて押さえる（図５参照）。
【００２９】
このように光ファイバ心線Ｆの融着接続部３０を収納した複数の収納部材２９を、クロージャ本体４の高さ方向に配置する構造としたので、クロージャ本体４の厚み寸法を抑えつつ、多くの融着接続部３０を収納することが可能となる。また、収納部材２９に番号等を付することで、融着接続された光ファイバ心線Ｆを容易に識別することが可能となる。
【００３０】
ファイバ余長収納部２５は、光ケーブル固定具１４，１５と引き通しファイバ収納部２３との間に配置されている。ファイバ余長収納部２５は、ベース板１３に取り付けられた４つの配線保護具３４を有している。そして、光ファイバ心線Ｆの余長は、これらの配線保護具３４に沿って輪状に巻いて収納される。なお、各配線保護具３４は、光ファイバ心線の最小曲げ半径（例えば３０ｍｍ）以上を確保するように配置されている。
【００３１】
ところで、光ファイバ心線の融着接続部と光ファイバ心線の余長とを専用トレイに一括して収納するような構造では、クロージャ本体内のスペースが取られるため、数多くの光ファイバ心線の融着接続部及び余長をクロージャ本体内に収納しようとすると、クロージャ本体の厚さ寸法が大きくなり、クロージャの小型化が困難である。
【００３２】
これに対し本実施形態のクロージャ１では、光ファイバ心線の融着接続部及び余長をトレイに一括収納するのではなく、光ファイバ心線の融着接続部の収納領域と光ファイバ心線の余長の収納領域とを分けるようにしたので、クロージャ本体４の厚さ寸法を小さくしながら、数多くの光ファイバ心線の融着接続部及び余長をクロージャ本体４内に高密度に収納することができる。
【００３３】
また、クロージャ本体４内に引き通しファイバ収納部２３を設けると共に、光ケーブル固定具１４，１５をベース板１３に対して着脱可能としたので、様々な光ケーブルの接続形態が実現可能となる。
【００３４】
例えば、図８に示すような直線接続を行う場合には、図９に示すように２本の多心光ケーブル７をクロージャ１に導入し、各多心光ケーブル７から延び出た光ファイバ心線Ｆ同士を融着接続する。この場合には、単心光ケーブル９をクロージャ１に導入しないので、上記の光ケーブル固定具１５は不要となる。
【００３５】
また、図１０に示すような分岐接続（ケーブル導入が１条で、ケーブル導出が３条の接続）を行う場合には、図１１に示すように４本の多心光ケーブル７をクロージャ１に導入し、その中の２本を主ケーブル７Ａとして使用し、他の２本を分岐ケーブル７Ｂとして使用する。この場合には、４つの光ケーブル固定具１４が必要となる。
【００３６】
このとき、図１０（ａ）に示すような接続を行うときは、２本の主ケーブル７Ａの光ファイバ心線Ｆの一部は引き通しとし、残りの主ケーブル７Ａから延び出た光ファイバ心線Ｆと分岐ケーブル７Ｂから延び出た光ファイバ心線Ｆとは融着接続する。また、図１０（ｂ）に示すような接続を行うときは、２本の主ケーブル７Ａから延び出た光ファイバ心線Ｆ同士を融着接続し、更に主ケーブル７Ａから延び出た光ファイバ心線Ｆと分岐ケーブル７Ｂから延び出た光ファイバ心線Ｆとを融着接続する。
【００３７】
また、図１２に示すような分岐接続で、分岐した光ファイバ心線を加入者側に引き落とすような接続を行う場合には、図１３に示すように３本の多心光ケーブル７と例えば４本の単心光ケーブル９とをクロージャ１に導入する。そして、３本の多心光ケーブル７の中の２本を主ケーブル７Ａとして使用し、他の１本を分岐ケーブル７Ｂとして使用する。この場合には、３つの光ケーブル固定具１４と１つの光ケーブル固定具１５が必要となる。
【００３８】
このとき、図１２（ａ）に示すような接続を行うときは、２本の主ケーブル７Ａの光ファイバ心線Ｆの一部は引き通しとし、残りの主ケーブル７Ａから延び出た光ファイバ心線Ｆと分岐ケーブル７Ｂから延び出た光ファイバ心線Ｆとを融着接続し、主ケーブル７Ａから延び出た光ファイバ心線Ｆと単心光ケーブル９から延び出た光ファイバ心線ｆとを融着接続する。また、図１２（ｂ）に示すような接続を行うときは、２本の主ケーブル７Ａから延び出た光ファイバ心線Ｆ同士を融着接続し、主ケーブル７Ａから延び出た光ファイバ心線Ｆと分岐ケーブル７Ｂから延び出た光ファイバ心線Ｆとを融着接続し、更に主ケーブル７Ａから延び出た光ファイバ心線Ｆと単心光ケーブル９から延び出た光ファイバ心線ｆとを融着接続する。
【００３９】
また、図１４に示すように分岐した光ファイバ心線を加入者側に引き落とすような接続を行う場合には、図１５に示すように２本の多心光ケーブル７と例えば８本の単心光ケーブル９とをクロージャ１に導入する。この場合には、２つの光ケーブル固定具１４と２つの光ケーブル固定具１５が必要となる。
【００４０】
このとき、図１４（ａ）に示すような接続を行うときは、２本の光ケーブル７の光ファイバ心線Ｆの一部は引き通しとし、残りの光ケーブル７から延び出た光ファイバ心線Ｆと単心光ケーブル９から延び出た光ファイバ心線ｆとを融着接続する。また、図１４（ｂ）に示すような接続を行うときは、各光ケーブル７から延び出た光ファイバ心線Ｆ同士を融着接続し、更に光ケーブル７から延び出た光ファイバ心線Ｆと単心光ケーブル９から延び出た光ファイバ心線ｆとを融着接続する。
【００４１】
以上のように構成したクロージャ１をマンホールに取り付けるときは、図１６に示すように、クロージャ１に導入された光ケーブルが下側に位置するように、ボルト３５により取付金具６をマンホールＭの壁面に固定する。このとき、クロージャ本体４の外面および取付金具６は、上述したようにマンホールＭの壁面に合った形状を有しているので、クロージャ１がマンホールＭの壁面より必要以上に出っ張らずに設置された状態となる。従って、現場作業者がマンホールＭ内で下水道作業等を行う際に、クロージャ１がじゃまになって作業しにくくなることは無い。また、クロージャ１をマンホールＭの壁面に取り付けるための補助的な部品が不要となるため、クロージャ１の設置を容易に且つ安価に行うことができる。
【００４２】
また、光ケーブル固定具１４，１５、引き通しファイバ収納部２３、ファイバ融着接続部収納部２４及びファイバ余長収納部２５が取り付けられたベース板１３は、ネジでクロージャ本体４に固定されているので、クロージャ１がマンホールＭに設置されている状態で、光ファイバ心線の接続収納作業を容易に行うことが可能となる。
【００４３】
なお、本発明に係る光ケーブル接続用クロージャは、上記実施形態に限定されるものではない。例えば、上記実施形態では、引き通し光ファイバ心線を収納するための引き通しファイバ収納部２３を有する構成としたが、本発明は、引き通し光ファイバ心線を収納することが無いクロージャにも適用可能である。
【００４４】
また、上記実施形態では、ファイバ融着接続部収納部２４及びファイバ余長収納部２５をクロージャ本体４の高さ方向に並設する構成としたが、ファイバ融着接続部収納部２４及びファイバ余長収納部２５の配置場所は、特にこれには限定されず、要は光ファイバ心線の融着接続部と光ファイバ心線の余長とをクロージャ本体４内における異なる領域に収納するような構成であればよい。
【００４５】
【発明の効果】
本発明によれば、光ファイバ心線の接続部を収納するためのファイバ接続部収納部と、光ファイバ心線の余長を収納するためのファイバ余長収納部とを、クロージャ本体内における異なる領域に配置したので、例えば融着接続した多くの光ファイバ心線をクロージャ本体内に高密度に収納することができる。
【図面の簡単な説明】
【図１】本発明に係る光ケーブル接続用クロージャの一実施形態の内部構造を示す図である。
【図２】図１に示す光ケーブル接続用クロージャの底面図である。
【図３】図１のＩＩＩ−ＩＩＩ線断面図である。
【図４】図１のＩＶ−ＩＶ線断面図である。
【図５】図１に示すファイバ融着接続部収納部の分解図である。
【図６】図５に示す収納部材の側面図である。
【図７】図５に示す収納部材の平面図である。
【図８】図１に示す光ケーブル接続用クロージャにおいて適用される光ケーブルの接続方法の一形態を示す図である。
【図９】図８に示す光ケーブルの接続形態における光ケーブルの導入方法を示す図である。
【図１０】図１に示す光ケーブル接続用クロージャにおいて適用される光ケーブルの接続方法の一形態を示す図である。
【図１１】図１０に示す光ケーブルの接続形態における光ケーブルの導入方法を示す図である。
【図１２】図１に示す光ケーブル接続用クロージャにおいて適用される光ケーブルの接続方法の一形態を示す図である。
【図１３】図１２に示す光ケーブルの接続形態における光ケーブルの導入方法を示す図である。
【図１４】図１に示す光ケーブル接続用クロージャにおいて適用される光ケーブルの接続方法の一形態を示す図である。
【図１５】図１４に示す光ケーブルの接続形態における光ケーブルの導入方法を示す図である。
【図１６】図１に示す光ケーブル接続用クロージャがマンホールの壁面に取り付けられた状態を示す平面図である。
【符号の説明】
１…光ケーブル接続用クロージャ、４…クロージャ本体、６…取付金具、７…多心光ケーブル、８…ケーブルアダプタ（光ケーブル導入部）、９…単心光ケーブル、１０…ケーブルアダプタ（光ケーブル導入部）、１１…穴部、１２…穴部、１３…ベース板、１４…光ケーブル固定具、１５…光ケーブル固定具、２０…台座、２０ａ…上段部、２０ｂ…下段部、２２ａ，２２ｂ…押付板、２３…引き通しファイバ収納部、２４…ファイバ融着接続部収納部、２５…ファイバ余長収納部、２８…収納仕切り、２９…収納部材、Ｆ…光ファイバ心線、Ｍ…マンホール。
【図１】
2004102073.tif 000003
【図２】
2004102073.tif 000004
【図３】
2004102073.tif 000005
【図４】
2004102073.tif 000006
【図５】
2004102073.tif 000007
【図６】
2004102073.tif 000008
【図７】
2004102073.tif 000009
【図８】
2004102073.tif 000010
【図９】
2004102073.tif 000011
【図１０】
2004102073.tif 000012
【図１１】
2004102073.tif 000013
【図１２】
2004102073.tif 000014
【図１３】
2004102073.tif 000015
【図１４】
2004102073.tif 000016
【図１５】
2004102073.tif 000017
【図１６】
2004102073.tif 000018